(57)【要約】【課題】光ファイバケーブル内に配置された光ファイバ心線や光ファイバテープ心線３を光ファイバケーブルの途中から分岐させる際に、全ての光ファイバ心線や光ファイバテープ心線を全て露出させる必要があった。【解決手段】１乃至複数の光ファイバ心線または１乃至複数の光ファイバテープ心線で構成された心線ユニットと、前記心線ユニットへの応力を緩和させるテンションメンバーとが一直線状に配置され、これらが外形形状を長方形状とするシースにより前記一直線が前記長方形状の長辺に沿うように被覆されて構成されてなる光ファイバケーブルにおいて、前記心線ユニットは複数で構成され、各心線ユニットは互いに前記シース断面内で間隔を隔てて被覆されていることを特徴とする。このため、分岐作業を容易に行うことができる。【選択図】        図１
2004271649.tif 000002
【特許請求の範囲】
【請求項１】
１乃至複数の光ファイバ心線または１乃至複数の光ファイバテープ心線で構成された心線ユニットと、前記心線ユニットへの応力を緩和させるテンションメンバーとが一直線状に配置され、これらが外形形状を長方形状とするシースにより前記一直線が前記長方形状の長辺に沿うように被覆されて構成されてなる光ファイバケーブルにおいて、前記心線ユニットは複数で構成され、各心線ユニットは互いに前記シース断面内で間隔を隔てて被覆されていることを特徴とする光ファイバケーブル。
【請求項２】
長方形状の短辺側にケーブル支持用の支持線が配置され、前記長方形状と支持線とが肉薄のシースによって連結されていることを特徴とする請求項１に記載の光ファイバケーブル。
【請求項３】
シースの長手方向に沿ってシース切り裂き用のノッチが形成されていることを特徴とする請求項１又は請求項２に記載の光ファイバケーブル。
【請求項４】
ノッチは長方形状の長辺側で且つ心線ユニットに最も近いシースの外表面に形成されていることを特徴とする請求項３に記載の光ファイバケーブル。
【請求項５】
ノッチは長方形状の短辺から０．８ｍｍ以上間隔を隔てて配置されていることを特徴とする請求項３又は請求項４に記載の光ファイバケーブル。
【請求項６】
ノッチは長方形状の長辺側に２個以上形成され、各ノッチは互いに０．８ｍｍ以上間隔を隔てて配置されていることを特徴とする請求項３又は請求項４又は請求項５に記載の光ファイバケーブル。
【発明の詳細な説明】
【０００１】
【産業上の利用分野】
本発明は、ビル建物の内外および家庭家屋の内外等において布設される光ファイバケーブルに関するものである。
【０００２】
【従来の技術】
光加入者線路網の構築が進み、オフィスビル、一般家庭の家屋の内外に光ファイバケーブル（インドア・ドロップ光ケーブル・光コードを含む）が用いられるようになってきた。
【０００３】
これらインドア・ドロップ光ファイバケーブルに関して、近年、複数の光ファイバ心線を集合してケーブル化したものや、複数の光ファイバ心線をテープ状に集合させた光ファイバテープ心線を複数積層させて構成したものが開発されている（非特許文献１）。
【０００４】
図６には、４本の光ファイバ心線１をプラスチック被覆２でテープ状に集合して形成された光ファイバテープ心線３が２枚積層されて心線ユニット４が構成され、その両サイドにテンションメンバー５が配置され、さらにそのテンションメンバー５の一方の外側に支持線６が配置され、これらがシース７によって一体に被覆されて長方形状（テープ状）に形成された光ファイバケーブル８が示されている。また、シース７の外表面には、両表面にＶ字状のノッチ９が形成されている。
【０００５】
【非特許文献１】
２００２年電子情報通信学会総合大会予稿集Ｐ４６１
【０００６】
このような光ファイバケーブルは、現在の需要に合わせて布設される場合や、将来の需要を見込んで、現在の需要よりも多くの光ファイバ心線を先行して布設される。一般には後者が多く採用されている。
【０００７】
【発明が解決しようとする課題】
前記のように構成された光ファイバケーブル８の途中から光ファイバ心線１を分岐する場合は、分岐する場所の光ファイバケーブル８のシース７をノッチ９の部分で切り裂き、必要とするシース７の内部の光ファイバテープ心線３を露出させる必要があるが、光ファイバケーブル８内には多数の光ファイバ心線１又は光ファイバテープ心線３が１箇所に纏められて心線ユニット４内に配置されているため、必要とする少数の光ファイバ心線１を分岐しようとする際にも、全ての光ファイバ心線１や光ファイバテープ心線３を露出させなけらばならなかった。
【０００８】
また、図７に示すように、光ファイバ心線１を２本集合して構成された光ファイバテープ心線３を複数枚（図示の場合は４枚）配置させた光ファイバケーブル８の場合は、ノッチ９から離れた光ファイバ心線１’を容易に取り出すことが困難であり、取出し時に光ファイバテープ心線３を極度に曲げて光ファイバ心線１を断線させたりする場合があった。
【０００９】
【課題を解決するための手段】
本発明は係る点に鑑みなされたもので、シース断面内に複数の心線ユニットの収納部を形成し、各心線ユニットの収納部にそれぞれ光ファイバ心線又は光ファイバテープ心線を配置することにより、光ファイバケーブル内に配置される複数の光ファイバ心線又は光ファイバテープ心線を少数に分割してそれぞれを独立に分離させて配置させた点に特徴である。
【００１０】
そのための、本発明は、１乃至複数の光ファイバ心線または１乃至複数の光ファイバテープ心線で構成された心線ユニットと、前記心線ユニットへの応力を緩和させるテンションメンバーとが一直線状に配置され、これらが外形形状を長方形状とするシースにより前記一直線が前記長方形状の長辺に沿うように被覆されて構成されてなる光ファイバケーブルにおいて、前記心線ユニットは複数で構成され、各心線ユニットは互いに前記シース断面内で間隔を隔てて被覆されていることを特徴とする。
【００１１】
他の本発明は、長方形状の短辺側にケーブル支持用の支持線が配置され、前記長方形状と支持線とが肉薄のシースによって連結されていることを特徴とする。
【００１２】
他の本発明は、シースの長手方向に沿ってシース切り裂き用のノッチが形成されていることを特徴とする。
【００１３】
他の本発明は長方形状の長辺側で且つ心線ユニットに最も近いシースの外表面にノッチが形成されていることを特徴とする。
【００１４】
他の本発明は長方形状の短辺から０．８ｍｍ以上間隔を隔てて配置されていることを特徴とする。
【００１５】
他の本発明は、ノッチが長方形状の長辺側に２個以上形成され、各ノッチは互いに０．８ｍｍ以上間隔を隔てて配置されていることを特徴とする。
【００１６】
【発明の実施の形態】
光ファイバ心線の光伝送部分はプラスチック製や石英などのガラス製など、どのような材料のものでも良い。光ファイバ心線は、特に光伝送部分がガラス製の場合、加熱・紡糸によって形成された裸光ファイバの外周に、機械的強化を図る目的でプラスチックの保護被膜が形成される。
【００１７】
また、その光伝送部分の屈折率プロファイルは単なる屈折率の高いコアと屈折率の低いクラッドからなるステップインデックス型と呼ばれるものや、コアの屈折率が中心から外側に向うに従って除除に減少するグレーデット型と呼ばれるものや、コアが複数の屈折率の異なる層で構成される例えばｗ型構造のものや、セグメントＷ型と呼ばれるものなど種々のものであっても良い。
【００１８】
１乃至複数の光ファイバ心線または１乃至複数の光ファイバテープ心線からなる心線ユニットの数は、２以上であれば如何なる数でも良い。
また、その心線ユニットは光ファイバ心線が１本で構成されても良く、またそれ以上の本数で構成されていても良い。例えば、心線ユニットは光ファイバ心線が単に８本集合させたものであっても、４心の光ファイバ心線を集合して構成された光ファイバテープ心線を４枚積層させたものであっても良く、またこれらを同時に一体に集合させたものであっても良い。
【００１９】
また、各心線ユニットに配置される光ファイバ心線や光ファイバテープ心線の種類は如何なる組み合わせのものであっても良い。例えば、一方の心線ユニットは光ファイバ心線の１乃至複数本を集合させ、他方の心線ユニットは光ファイバテープ心線の１乃至複数本を集合させたものであっても良い。
【００２０】
また、各心線ユニットに配置される光ファイバ心線、又は光ファイバテープ心線はシースと密着して一体に形成されていても良く、また、光ファイバ心線又は光ファイバテープ心線とシースとが密着せずに、例えば空間を形成するように配置されても良い。
【００２１】
光ファイバ心線を複数本集合させて構成される光ファイバテープ心線は、光ファイバ心線の数が２以上であれば如何なる数であっても良い。
【００２２】
【実施例】
以下本発明を図示した実施例により、本発明を更に詳しく説明する。
図１において、１〜９はそれぞれ図６・図７に示した場合と同様に、光ファイバ心線、プラスチック被覆、光ファイバテープ心線、心線ユニット、テンションメンバー、支持線、シース、光ファイバケーブル、ノッチである。１０はそれぞれ間隔を隔てて一列に配置された２つの心線ユニット４とテンションメンバー５とが外形形状が長方形状のシース７により被覆されて構成された光エレメント部である。ノッチ９は図示のように、光エレメント部１０の長辺側の面に形成されている。
また、光エレメント部１０と支持線６とは肉薄のシース７によって連結されている。
【００２３】
本実施例において、光ファイバ心線１は１２５μｍφの石英製光ファイバの上に外径２５０μｍφに紫外線硬化樹脂が被覆されて構成され、テンションメンバー５は０．４ｍｍφの亜鉛メッキ鋼線で構成され、支持線６は１．２ｍｍφの亜鉛メッキ鋼線で構成され、シース７はノンハロゲン難燃ポリエチレンで構成されている。また、光エレメント部１０は長方形状の長辺（幅方向）が５ｍｍ、短辺（厚さ）が２ｍｍに形成されている。
テンションメンバー５および支持線６はＦＲＰ（Ｆｉｂｅｒ  Ｒｅｉｎｆｏｒｃｅｄ  Ｐｌａｓｔｉｃｓ）製のものやその他のものを採用することも可能である。
【００２４】
図１に示す実施例は、図６に示す従来例に比較して、心線ユニット４が２箇所に配置され、各心線ユニット４に２本の光ファイバ心線１で構成された光ファイバテープ心線３が２枚横方向に積層され、各心線ユニット４・４間にテンションメンバー５が配置されている点が異なっている。
【００２５】
かかる実施例において、心線ユニットが２個形成されているため、光ファイバ心線１の分岐地点で一方の側の心線ユニットのみを開口させ、他方の心線ユニットを開口させることなく、光ファイバ心線１を分岐させることができる。
【００２６】
図２は、本発明の他の実施例を示すものである。図１に比較して、支持線６が削除されている点が異なっている。このような光ファイバケーブル８は光ファイバケーブル８の全体を自己支持させる機能が落ちるが、家屋引きこみ用の光ファイバケーブルとして用いることが可能である。かかる実施例の光ファイバケーブルは、図１に示す光ファイバケーブルと同様に、一方の心線ユニット４を開口させることなく光ファイバ心線１を分岐させることができる。
【００２７】
また、図２に示す実施例は２つの心線ユニット４の両サイドにテンションメンバー５が存在しないため、ノッチ９を境にシース７を切り裂いて心線ユニット４を開口させる際に、長方形状のシース７の短辺（側面）から近い位置にノッチ９を形成すると、シース７が途中でチギレてしまい、心線ユニット４をうまく開口させることができないが、図に示すように短辺からノッチ９までの長さａが０．８ｍｍ以上、望ましくは１．０ｍｍ以上あればシース７をチギレさせることなく、心線ユニット４を開口させることができる。
【００２８】
図３は、本発明の更に他の実施例を示すものである。図１に比較して２つの心線ユニット４の両サイドにそれぞれテンションメンバー５が配置されている点で異なっている。このような構造の光ファイバケーブルであっても図１に示す光ファイバケーブルと同様に他方の心線ユニット４を開口させることなく、光ファイバ心線１を分岐させることができる。なお、光エレメント部１０の長辺側に形成されたノッチ９間の長さｂはシースの切り裂きを容易にするために、０．８ｍｍ以上、望ましくは１．０ｍｍ以上にすることが望ましい。
【００２９】
図４は、本発明の更に他の実施例を示すものである。本実施例の光ファイバケーブルは図１に示す光ファイバケーブルに比較して、心線ユニット４が２本の光ファイバ心線１により構成されている点が異なっている。このような構造であっても他方の心線ユニット４を切り開くことなく、光ファイバ心線１を分岐させることができる。光エレメント部１０の短辺（側面）からノッチ９までの長さａは、図２に示す光ファイバケーブルと同様に、０．８ｍｍ以上、望ましくは１．０ｍｍ以上あれば、シース７をちぎれさせることなく、心線ユニット４を開口させることができる。
【００３０】
図５は、本発明の更に他の実施例を示すものである。本実施例の光ファイバケーブルは図４に示す光ファイバケーブルに比較して、心線ユニット４が４心の光ファイバ心線１からなる光ファイバテープ心線３が１個で構成されている点が異なっている。このような構造であっても他方の心線ユニット４を切り開くことなく、光ファイバテープ心線３を分岐させることができる。光エレメント部１０の短辺（側面）からノッチ９までの長さａは、図２に示す光ファイバケーブルと同様に、０．８ｍｍ以上、望ましくは１．０ｍｍ以上あれば、シース７をちぎれさせることなく、心線ユニット４を開口させることができる。
【００３１】
【効果】
本発明は上述のように、１乃至複数の光ファイバ心線または１乃至複数の光ファイバテープ心線で構成された心線ユニットと、前記心線ユニットへの応力を緩和させるテンションメンバーとが一直線状に配置され、これらが外形形状を長方形状とするシースにより前記一直線が前記長方形状の長辺に沿うように被覆されて構成されてなる光ファイバケーブルにおいて、前記心線ユニットは複数で構成され、各心線ユニットは互いに前記シース断面内で間隔を隔てて被覆されていることを特徴とする。このため、光ファイバケーブルから光ファイバ心線または光ファイバテープ心線を分岐させる場合、光ファイバケーブル内に配置された光ファイバ心線や光ファイバテープ心線の全てを光ファイバから露出させる必要がなく、分岐作業を容易に行うことができる効果がある。
【図面の簡単な説明】
【図１】本発明の１実施例を示す断面図。
【図２】本発明の他の実施例を示す断面図。
【図３】本発明の更に他の実施例を示す断面図。
【図４】本発明の更に他の実施例を示す断面図。
【図５】本発明の更に他の実施例を示す断面図。
【図６】従来の一例を示す断面図。
【図７】従来のその他の例を示す断面図。
【符号の説明】
１・・・光ファイバ心線
２・・・プラスチック被覆
３・・・光ファイバテープ心線
４・・・心線ユニット
５・・・テンションメンバー
６・・・支持線
７・・・シース
８・・・光ファイバケーブル
９・・・ノッチ
１０・・・光エレメント部
【図１】
2004271649.tif 000003
【図２】
2004271649.tif 000004
【図３】
2004271649.tif 000005
【図４】
2004271649.tif 000006
【図５】
2004271649.tif 000007
【図６】
2004271649.tif 000008
【図７】
2004271649.tif 000009